(57)【要約】  原子炉に使用するプリント回路型熱交換器は、プレートを積み重ねて拡散接合した構成の中核部を含む。当該中核部は、頂面、当該頂面の反対側に位置する底面、当該頂面と当該底面との間を延びる第１の側面、および当該第１の側面の反対側に位置する第２の側面を有する。当該プリント回路型熱交換器は、当該中核部内に画定される複数の一次チャンネルであって、各一次チャンネルが当該第１の側面に画定される一次流入口から当該第２の側面に画定される一次流出口へ延びる複数の一次チャンネルと、当該中核部内に画定される複数の二次チャンネルであって、各二次チャンネルが当該一次チャンネルの少なくとも一部の間を、当該頂面に画定される二次流入口から当該頂面に画定される二次流出口へ延びる複数の二次チャンネルとを有する。【選択図】図４
2020536240.tif 000002
【特許請求の範囲】
【請求項１】
プリント回路型熱交換器（１６）であって、
プレートを積み重ねて拡散接合した構成の中核部（５０）であって、頂面（５２）、当該頂面の反対側に位置する底面（５４）、当該頂面と当該底面との間を延びる第１の側面（５６）、および当該第１の側面の反対側に位置する第２の側面（５８）を有する中核部（５０）と、
当該中核部内に画定される複数の一次チャンネル（４８）であって、各一次チャンネルが、当該第１の側面に画定される一次流入口（６２）から当該第２の側面に画定される一次流出口（６４）へ延びる、複数の一次チャンネル（４８）と、
当該中核部内に画定される複数の二次チャンネル（４６）であって、各二次チャンネルが、当該一次チャンネルの少なくとも一部の間を、当該頂面に画定される二次流入口（７２）から当該頂面に画定される二次流出口（７４）へ延びる、複数の二次チャンネル（４６）と
を具備するプリント回路型熱交換器（１６）。
【請求項２】
前記二次流入口と流体連通関係にある第１の空間（８２）を画定する流入口プレナム（８０）と、
前記二次流出口と流体連通関係にある第２の空間（８６）を画定する流出口プレナム（８４）と
をさらに具備する請求項１のプリント回路型熱交換器。
【請求項３】
前記流入口プレナムは供給ヘッダに流体連結される構成の主流入口（９０）を具備し、
前記流出口プレナムは帰還ヘッダに流体連結される構成の主流出口（９２）を具備する、
請求項２のプリント回路型熱交換器。
【請求項４】
前記二次チャンネルは半円形の断面を有する、請求項１のプリント回路型熱交換器。
【請求項５】
プール型液体金属高速スペクトル炉（１０）であって、
容器（１２）と、
当該容器内に画定される下部プレナム（３０）と、
当該容器内の当該下部プレナムの上方に位置する炉心（２０）と、
当該容器内の当該炉心の上方に画定される上部プレナム（３２）と、
当該容器内に画定される多数の冷却材ポンプ流入口プレナム（３６）と、
多数の冷却材ポンプ（１８）であって、各冷却材ポンプが、当該多数の冷却材ポンプ流入口プレナムのうちの１つから当該下部プレナムへ流体を移送するように構成された、多数の冷却材ポンプと、
各々が当該上部プレナムと当該多数の冷却材ポンプ流入口プレナムのうちの１つとの間に位置する多数のプリント回路型熱交換器（１６）とを具備し、各々のプリント回路型熱交換器は、
プレートを積み重ねて拡散接合した構成の中核部（５０）であって、頂面（５２）、当該頂面の反対側に位置する底面（５４）、当該頂面と当該底面との間を延びる第１の側面（５６）、および当該第１の側面の反対側に位置する第２の側面（５８）を有する中核部（５０）と、
当該中核部内に画定される複数の一次チャンネル（４８）であって、各一次チャンネルが、当該第１の側面に画定される一次流入口（６２）から当該第２の側面に画定される一次流出口（６４）へ延び、各一次流入口は当該上部プレナムと直接流体連通し、各一次流出口は当該多数の冷却材ポンプ流入口プレナムのうちの１つと直接流体連通する、複数の一次チャンネル（４８）と、
当該中核部内に画定される複数の二次チャンネル（４６）であって、各二次チャンネルは、当該一次チャンネルの少なくとも一部の間を、当該頂面に画定される二次流入口（７２）から当該頂面に画定される二次流出口（７４）へ延びる、複数の二次チャンネル（４６）とを具備することを特徴とする、プール型液体金属高速スペクトル炉（１０）。
【請求項６】
前記二次流入口と流体連通関係にある第１の空間（８２）を画定する流入口プレナム（８０）と、
前記二次流出口と流体連通関係にある第２の空間（８６）を画定する流出口プレナム（８４）と
をさらに具備する、請求項５の原子炉。
【請求項７】
前記容器は或る量の一次冷却材（Ｐ）を収容し、当該或る量の一次冷却材は前記容器内に最高の液位（４４）を有し、前記流入口プレナムおよび前記流出口プレナムは当該最高の液位より上方に位置する、請求項６の原子炉。
【請求項８】
前記容器は上蓋（１４）を具備し、前記流入口プレナムおよび前記流出口プレナムは当該上蓋より上方に位置する、請求項６の原子炉。
【請求項９】
前記流入口プレナムは供給ヘッダに流体連結される構成の主流入口（９０）を具備し、
前記流出口プレナムは帰還ヘッダに流体連結される構成の主流出口（９２）を具備する、
請求項６の原子炉。
【請求項１０】
前記二次チャンネルは半円形の断面を有する、請求項５の原子炉。
【請求項１１】
前記多数のプリント回路型熱交換器は複数の熱交換器より成り、前記多数の冷却材ポンプ流入口プレナムは複数の冷却材ポンプ流入口プレナムより成り、前記多数の冷却材ポンプは複数の冷却材ポンプより成り、当該複数のプリント回路型熱交換器および当該複数の冷却材ポンプはそれぞれ２つ一組で炉心の上方外側に環状に配置されている、請求項５の原子炉。
【請求項１２】
前記複数のプリント回路型熱交換器は６つのプリント回路型熱交換器より成り、前記複数の冷却材ポンプは６つの冷却材ポンプより成る、請求項５の原子炉。
【請求項１３】
前記プリント回路型熱交換器の各々は、前記上部プレナムを、対応する冷却材ポンプ流入口プレナムから分離する仕切りの少なくとも一部を構成する、請求項５の原子炉。
【発明の詳細な説明】
【技術分野】
【０００１】
関連出願の相互参照
本願は、米国特許法第１１９条（ｅ）の下で、各々参照により本願に組み込まれる２０１７年１０月２日出願の米国仮特許出願第６２／５６６，９８０号および２０１７年１０月５日出願の米国仮特許出願第６２／５６８，４８６号に基づく優先権を主張する。
【０００２】
本発明はプール型液体金属高速スペクトル原子炉に関し、具体的には、プリント回路型熱交換器を用いるプール型液体金属高速スペクトル炉に関する。本発明はまた、プール型液体金属高速スペクトル炉に使用するプリント回路型熱交換器に関する。
【０００３】
非限定的な例としての鉛冷却高速スペクトル炉のような液体金属原子炉では、これまで、スパイラル型またはバイオネット型の蒸気発生器の使用が提案されている。これらのタイプの蒸気発生器は嵩が大きいため、受け皿として直径がかなり大きい原子炉容器が必要であり、一次冷却材インベントリの有意な増加が避けられない。また、従来の構成は「ホットレグ」を内部に設ける必要があり、これが容器の高さを押し上げことになる。鉛冷却炉の場合、このような冷却材インベントリの有意な増加は、耐震支持による保護を必要とする原子力プラント安全関連機器の重量の有意な増加に直結する。また、従来の蒸気発生器は、熱伝達領域を形成するため直径が大きめの細管を多数使用する。これらの細管は、冷却材の封じ込めや多量のろ過を必要とする原子炉冷却系（ＲＣＳ）の加圧事象およびこれらの細管のうちの１本以上の破断による偶発的な臨界事象を発生させる虞がある。細管破断後に蒸気または他の二次側流体が炉心内に引き込まれて、減速と中性子吸収に劇的な変化が生じ、局所的な臨界事象が発生する、というのが想定される典型的な結果である。付随して起きるこの事象の重大性は、有意な燃料損傷をもたらすに十分なものである。したがって、原子炉を冷却する仕組みの改良が必要とされる。
【発明の概要】
【０００４】
本発明の実施態様は、プリント回路型熱交換器（ＰＣＨＥ）のようなマイクロチャンネル熱交換器の固有の特性を活かして、プール型液体金属冷却高速スペクトル炉を有意に小型化する。それと同時に、かかる実施態様は、原子炉冷却系の唯一の加圧源と、一般的にこのタイプの原子炉に偶発的に起こる臨界事象の主要な要因を効果的に排除する。
【０００５】
本発明の実施態様は、炉心上方の排出プレナムと一次冷却材ポンプ流入口との間に冷却材の流路が形成されるように、複数のプリント回路型熱交換器を展開させる。より高温の冷却材が熱交換器を半径方向に通り抜けて環状プレナムに向かい、当該環状プレナムが原子炉冷却材ポンプへの冷却材の供給を維持する。
【０００６】
本発明の一局面において、プリント回路型熱交換器は、プレートを積み重ねて拡散接合した構成の中核部であって、頂面、当該頂面の反対側に位置する底面、当該頂面と当該底面との間を延びる第１の側面、および当該第１の側面の反対側に位置する第２の側面を有する中核部と、当該中核部内に画定される複数の一次チャンネルであって、各一次チャンネルが、当該第１の側面に画定される一次流入口から当該第２の側面に画定される一次流出口へ延びる複数の一次チャンネルと、当該中核部内に画定される複数の二次チャンネルであって、各二次チャンネルが、当該一次チャンネルの少なくとも一部の間を、当該頂面に画定される二次流入口から当該頂面に画定される二次流出口へ延びる複数の二次チャンネルとを有する。
【０００７】
当該プリント回路型熱交換器は、当該二次流入口と流体連通関係にある第１の空間を画定する流入口プレナムと、当該二次流出口と流体連通関係にある第２の空間を画定する流出口プレナムとをさらに含んでよい。
【０００８】
当該流入口プレナムは供給ヘッダに流体連結される構成の主流入口を含み、当該流出口プレナムは帰還ヘッダに流体連結される構成の主流出口を含むことができる。
【０００９】
当該二次チャンネルの断面は半円形でよい。
【００１０】
本発明の別の局面において、プール型液体金属高速スペクトル炉は、容器と、当該容器内に画定される下部プレナムと、当該容器内の当該下部プレナムの上方に位置する炉心と、当該容器内の当該炉心の上方に画定される上部プレナムと、当該容器内に画定される多数の冷却材ポンプ流入口プレナムと、多数の冷却材ポンプであって、各冷却材ポンプが、当該多数の冷却材ポンプ流入口プレナムのうちの１つから当該下部プレナムへ流体を移送するように構成された多数の冷却材ポンプと、各々が当該上部プレナムと当該多数の冷却材ポンプ流入口プレナムのうちの１つとの間に位置する多数のプリント回路型熱交換器とを具備し、各々のプリント回路型熱交換器は、プレートを積み重ねて拡散接合した構成の中核部であって、頂面、当該頂面の反対側に位置する底面、当該頂面と当該底面との間を延びる第１の側面、および当該第１の側面の反対側に位置する第２の側面を有する中核部と、当該中核部内に画定される複数の一次チャンネルであって、各一次チャンネルが、当該第１の側面に画定される一次流入口から当該第２の側面に画定される一次流出口へ延び、各一次流入口が当該上部プレナムと直接流体連通し、各一次流出口が当該多数の冷却材ポンプ流入口プレナムのうちの１つと直接流体連通する複数の一次チャンネルと、当該中核部内に画定される複数の二次チャンネルであって、各二次チャンネルが、当該一次チャンネルの少なくとも一部の間を、当該頂面に画定される二次流入口から当該頂面に画定される二次流出口へ延びる複数の二次チャンネルとを具備する。
【００１１】
当該原子炉は、当該二次流入口と流体連通関係にある第１の空間を画定する流入口プレナムと、当該二次流出口と流体連通関係にある第２の空間を画定する流出口プレナムとをさらに具備する。
【００１２】
当該容器は或る量の一次冷却材を収容し、当該或る量の一次冷却材は当該容器内に最高の液位を有し、当該流入口プレナムおよび当該流出口プレナムは当該最高の液位より上方に位置する。
【００１３】
当該容器は上蓋を具備し、当該流入口プレナムおよび当該流出口プレナムは当該上蓋より上方に位置する。
【００１４】
当該流入口プレナムは供給ヘッダに流体連結される構成の主流入口を含み、当該流出口プレナムは帰還ヘッダに流体連結される構成の主流出口を含んでよい。
【００１５】
当該二次チャンネルの断面は半円形でよい。
【００１６】
当該多数のプリント回路型熱交換器は複数の熱交換器より成り、当該多数の冷却材ポンプ流入口プレナムは複数の冷却材ポンプ流入口プレナムより成り、当該多数の冷却材ポンプは複数の冷却材ポンプより成り、当該複数のプリント回路型熱交換器および当該複数の冷却材ポンプはそれぞれ２つ一組で、当該炉心の上方外側に環状に配置することができる。
【００１７】
当該複数のプリント回路型熱交換器は６つのプリント回路型熱交換器より成り、当該複数の冷却材ポンプは６つの冷却材ポンプより成る。
【００１８】
当該プリント回路型熱交換器の各々は、当該上部プレナムを、対応する冷却材ポンプ流入口プレナムから分離する仕切りの少なくとも一部を構成してよい。
【図面の簡単な説明】
【００１９】
本発明の詳細を、好ましい実施態様を例にとり、添付の図面を参照して以下に説明する。
【００２０】
【図１】本発明の一実施例に基づく原子炉の概略等角図である。
【００２１】
【図２】原子炉の蓋が透明なものとして原子炉容器内の構成機器の詳細な配置を示す、図１の原子炉の概略平面図である。
【００２２】
【図３】原子炉の蓋、容器および他の構成機器の一部が透明なものとして原子炉の内部機器を詳細に示す、図１の原子炉の別の概略等角図である。
【００２３】
【図４】一次冷却材の流れを示す、図１の原子炉の概略断面図である。
【００２４】
【図５】一次冷却材の流れを示す、図１の原子炉の概略平面図である。
【００２５】
【図６】内部の一次冷却材の流れを示す、本発明の一実施例に基づくプリント回路型熱交換器の概略立面図である。
【００２６】
【図７】内部の二次側冷却材の流れを示す、図６のプリント回路型熱交換器の概略図である。
【発明を実施するための形態】
【００２７】
以下で、実施例を示す添付図面を参照しながら本発明を詳細に説明する。ただし、本発明は多くの異なる形態で実施することができ、本願に示す例に限定されると解釈するべきではない。これらの例はむしろ、本発明を詳細かつ完全に開示し、本発明の範囲を十分に当業者に伝えるために提供するものである。同じ参照番号は、本願を通して同じ構成要素を指している。
【００２８】
本願に用いる用語「多数」は、ゼロでない任意の整数、すなわち１または１より大きい整数（すなわち複数）を意味する。
【００２９】
プリント回路型熱交換器（ＰＣＨＥ）は、熱交換されるプロセス流体の各々に対して個別のマイクロチャンネルが形成されるように、化学エッチングを施したプレートを積み重ねて拡散接合したものである。この構成によると、小さな体積内に比較的大きな熱伝達領域を生成できる。本発明の一実施態様では、螺旋巻き管型熱交換器の代わりにＰＣＨＥを使用することにより、原子炉の直径が約１１．５メートルから約８メートルに縮小し、必要となる冷却材の量が当初の約５０％に減少する。鉛冷却炉の例では、冷却材の総重量が約７，５００，０００ｋｇから約３，５００，０００ｋｇに減少する結果、この重量を支えるために必要な耐震性を備えた構造体の費用が削減される。そのような冷却材質量の減少により、化学制御および腐食防止に関連する課題にも対処しやすくなる。
【００３０】
従来のＰＣＨＥの構成とは異なり、本発明の二次側マイクロチャンネルはほぼＵ字形の構成であるため、二次側流体の供給ヘッダと帰還ヘッダを共にＰＣＨＥの一方の側に取り付けることができる。この構成は、供給ヘッダと帰還ヘッダならびに関連する配管が少なくとも一次冷却材の液位より上方に、好ましくは原子炉の蓋より上方に位置するようにＰＣＨＥをプール型原子炉内に配置するのを可能にする。この構成では、供給ヘッダ、帰還ヘッダおよび供給管に想定されるいかなる破断が起きても、二次側流体が一次冷却材に流れ込むことはないので、関連する臨界事象に伴うリスクが大幅に減少するかまたは排除される。また、この構成により、ＲＣＳ内の唯一の加圧源がほぼなくなり、圧力を保持しながら封じ込めを行うために必要不可欠な装備や多量のろ過済み流体の排出口が不要になる。
【００３１】
従来のＰＣＨＥからの別の変更点は、一次側流体のチャンネルを大きくしたことである。この「複合的」構成は、各作動流体の熱伝達特性、所望の熱水力性能および詰まりの回避を考慮して、各流体の流路の大きさと形状を最適化するのを可能にする。
【００３２】
図１は、本発明の一実施例に基づく原子炉１０の概略等角図である。原子炉１０は、その一部を構成する外部容器１２および蓋１４によっておおむね画定される。原子炉１０はまた、図示のように一部が蓋１４から突出する、多数のプリント回路型熱交換器（ＰＣＨＥ）１６および多数の一次冷却材ポンプ１８を含む。本願に記述する実施例は、６つのＰＣＨＥ１６と６つの一次冷却材ポンプ１８より成る構成を使用する。図２に示すように、ＰＣＨＥ１６および冷却材ポンプ１８はそれぞれ２つ一組で、炉心２０の外側に環状に配置されている。また、図の実施例では、１つのポンプ１８と１つのＰＣＨＥ１６が対を成す。各対のポンプ１８とＰＣＨＥ１６には、両側の半径方向バッフル２２により形成される専用の流路がある。専用流路を仕切ることにより、プラントの運転を継続しながら、単一または複数対のＰＣＨＥ１６とポンプ１８を非稼働にすることができる。運転員は、保守点検または負荷追従出力調整のために、ＰＣＨＥ１６を非稼働にすることができる。本発明の範囲から逸脱せずに、ポンプ１８およびＰＣＨＥ１６の数および／または構成を変えた変形例が多数あることが分かる。
【００３３】
図１〜３は、本発明の一実施例における原子炉１０および炉内構造物の概略配置図である。これらの図では、冷却材ポンプ１８およびＰＣＨＥ１６が、それらの機器の物理特性および原子炉容器１２内の位置をわかりやすくするように、支持構造物を透明なものとして示されている。原子炉１０の平面図である図２は、炉心２０が六角形であることを最もわかりやすく示している。この図では、炉心２０は複数の六角形の燃料要素および中性子反射体要素より成り、炉心２０の全体形状が六角形であることを想定している。これは、高速炉用として提案可能な多くの構成のうちの１つである。この場合、６対のポンプ１８およびＰＣＨＥ１６は、想定される六角形の炉心２０に対して良好に機能する。
【００３４】
図２はまた、ポンプ１８とＰＣＨＥ１６の対ごとに別個の流路を形成する半径方向バッフル２２を最もわかりやすく示している。半径方向バッフル２２は、２つ一組のＰＣＨＥ１６の間および２つ一組の冷却材ポンプ１８の間を隔離するものであることがわかる。
【００３５】
図３は、原子炉１０内に収容され、内部構造（透明なものとして図示）によって支持される構成機器の等角図である。この実施例において、各ポンプ１８は、原子炉炉内構造物の支持構造物２６と一体的な円筒形バッフル２４を使用したプロペラ式軸流ポンプであることを想定している。このタイプのポンプを使用すると、各ポンプ１８の電動機２８を、原子炉冷却材の自由表面より上方、本例では容器１２より上方、すなわち原子炉１０の本体の外側で高温環境から外れたところに配置することができる。本発明の範囲から逸脱せずに、これとは別のポンプ構成を使用することができる。
【００３６】
図４は、本発明の好ましい実施態様の概略立面図である。この図において、実線の矢印（加熱された冷却材）および点線の矢印（冷却された冷却材）は、一次および二次冷却材の流れとその相対的な温度を示す。炉心２０から出る一次冷却材の温度をＴｈｏｔ、ＰＣＨＥ１６から出る一次冷却材の温度をＴｃｏｌｄとすると、原子炉の一次冷却系は次のように説明できる。一次冷却材は温度Ｔｃｏｌｄで一次冷却材ポンプ１８に流入する。一次冷却材Ｐは、ポンプ１８によって加圧され、原子炉下部プレナム３０に入る。冷却材は次に、燃料集合体のチャンネルを通過し、炉心２０内の核分裂反応によって加熱されてＴｈｏｔになり、上部プレナム３２へ送り出される。一次冷却材は、上部プレナム３２から半径方向（すなわち図４の長手軸３４から外向き）に流れ、ＰＣＨＥ１６のマイクロチャンネルを通って原子炉冷却材ポンプの流入口プレナム３６に還流する。一次冷却材ＰはＰＣＨＥ１６を通過する際に二次側流体Ｓに熱を伝達するが、その過程で温度がＴｃｏｌｄに戻る。この熱伝達によって加熱された二次側流体Ｓを、エネルギー変換システム（図示せず）のタービン発電機セットが発電のために利用する。
【００３７】
図５は、原子炉１０の二次元概略上面図である。この図は、６つのＰＣＨＥ１６が、単一の供給ヘッダ４０および単一の帰還ヘッダ４２（供給ヘッダ４０の直下にある）に接続される１つの可能な構成を示す。この図はまた、平面図の視点で一次冷却材Ｐの流路を示すが、実線矢印（加熱された冷却材）と点線矢印（冷却された冷却材）は相対的な温度を表している。
【００３８】
例示の実施態様において、ＰＣＨＥの供給ヘッダ４０と帰還ヘッダ４２は、原子炉１０の外側で一次冷却材Ｐの自由表面４４よりはるか上方に位置する（本発明の実施態様では、供給ヘッダと帰還ヘッダが一次原子炉格納容器の外側に位置することもわかる）。この構成において、ひとつのＰＣＨＥ１６の供給ヘッダまたは帰還ヘッダ、若しくは供給管および戻り管に想定される破断が起きても、原子炉１０が加圧されたり、二次側流体Ｓが一次冷却材Ｐに流入することはない。一次冷却材Ｐの自由表面４４の下方に沈んだ状態にあるのはＰＣＨＥ１０のマイクロチャンネル４６（図７）だけなので、二次側システムに想定される破断が起きて偶発的な臨界事象が発生するリスクが有意に低下する。
【００３９】
前述の図４には、一次冷却材Ｐの自由表面の予想される相対的な液位４４が示してある。運転時に、一次冷却材ポンプ１８は、炉心排出プレナム３２内の一次冷却材Ｐの自由表面の液位４４を上昇させることにより、一次冷却材Ｐを押圧してＰＣＨＥ１６の一次側マイクロチャンネル４８（図６）を通過させるに必要な駆動水頭を提供する。
【００４０】
図６、７は、本発明の一実施例に基づくＰＣＨＥ１６の概略立面図である。ＰＣＨＥ１６の内部の一次冷却材Ｐの流れを図６に、二次流体Ｓの流れを図７に略示する。ＰＣＨＥ１６は、プレートを積み重ねて拡散接合した構成の中核部５０を含む。中核部５０は、頂面５２、頂面５２の反対側に位置する底面５４、頂面５２と底面５４との間を延びる第１の側面５６、および第１の側面５６の反対側に位置する第２の側面５８を含む。
【００４１】
図６において、ＰＣＨＥ１６の中核部５０にはさらに、複数の一次チャンネル４８（図６では５つのチャンネルを示す）が画定されている。一次チャンネル４８の各々は、第１の側面５６に画定される一次流入口６２から第２の側面５８に画定される一次流出口６４へ延びている。各一次チャンネル４８は、本発明の範囲から逸脱せずに、多種多様な形状または形態をとることができる。例えば、一次チャンネルは、本発明の範囲から逸脱せずに、機械加工、プレート形成または他の任意適当なプロセスによって形成することができる。
【００４２】
図７において、ＰＣＨＥ１６の中核部５０にはさらに、複数の二次チャンネル４６（そのうちの１つのみを例示する）が画定されている。二次チャンネル４６の各々は、一次チャンネル４８の少なくとも一部の間を、中核部５０の頂面５２に画定される二次流入口７２から中核部５０の頂面５２に画定される二次流出口７４へ延びている。二次チャンネル４６の各々は、エッチングによって形成することができる。したがって、二次チャンネル４６は一般的に、半円形、円形、または楕円形の断面である。ただし、本発明の範囲から逸脱せずに、二次チャンネル４６の断面を他の形状にしてもよい。
【００４３】
図６、７の両方に示すように、ＰＣＨＥ１６にはさらに、二次流入口７２と流体連通関係の第１の空間８２を画定する流入口プレナム８０と、二次流出口７４と流体連通関係の第２の空間８６を画定する流出口プレナム８４とがある。流入口プレナム８０は供給ヘッダに流体連結される構成の主流入口９０を含み、流出口プレナム８４は帰還ヘッダに流体連結される構成の主流出口９２を含む。
【００４４】
図示の一次チャンネル４８および二次チャンネル４６は、ほぼ直線状またはＵ字形であるが、本発明の範囲から逸脱せずに、さまざまな形状が可能である。また、一次チャンネル４８と二次チャンネル４６の一般的な相互位置関係は、本発明の範囲から逸脱せずに、さまざまな流れパターン（非限定的な例として、並流、向流、横流またはそれらの組み合わせ）となるようにすることができる。
【００４５】
前述の例からわかるように、原子炉内のこの構成は、原子炉のサイズと所要の冷却材インベントリを減少させるコンパクトな設計と、それによる重量および化学制御困難性の低減とをもたらす。各ＰＣＨＥの二次側のマイクロチャンネルは、一般的に従来の蒸気発生器につきものの細管破断による臨界事象発生リスクを排除する。ＰＣＨＥの二次側のマイクロチャンネルは、ＲＣＳ内の大きな加圧源に伴うリスクを排除することにより、高圧流体の封じ込めや多量の流体のろ過を不要にする。ＰＣＨＥの一次側のマイクロチャンネルは、二次側のマイクロチャンネルとはサイズが異なる。それにより、性能が最適化され、各伝熱媒体に特化した設計目標が満足される。臨界リスクの排除を可能にする従来型ＰＣＨＥの改良として、Ｕ字形の二次側流体マイクロチャンネルの導入および二次側流体の供給プレナムおよび帰還プレナムのＰＣＨＥの一方の側への接続と、二次側供給ヘッダおよび帰還ヘッダが一次冷却材の液位より高い位置（および原子炉の外側および／または一次原子炉格納容器の外側）にあるという点が含まれる。この構成により、制御棒のような反応度制御装置を炉心の直上に配置することができる。この構成は、一次冷却材ポンプの電源を喪失した場合、一次冷却材の自然循環を促進する。この構成では、炉心から冷却材に付与された熱は冷却材が原子炉容器の胴部に到達する前に除去されるので、原子炉容器の腐食リスクが低下する。この構成では、一次冷却材の温度が一次冷却材ポンププレナムに流入する前にＰＣＨＥによって引き下げられるので、原子炉冷却材ポンプのインペラの腐食リスクが低下する。プレナム領域が長くなることで自由表面より上方の質量が増えるため、鉛の中のＰＣＨＥの浮力が打ち消される。
【００４６】
本発明の特定の実施態様について詳しく説明してきたが、当業者は、本開示書全体の教示するところに照らして、これら詳述した実施態様に対する種々の変更および代替への展開が可能である。したがって、ここに開示した特定の配置構成は説明目的だけのものであり、本発明の範囲を何ら制約せず、本発明の範囲は添付の特許請求の範囲に記載の全範囲およびその全ての均等物を包含する。
【図１】
2020536240.tif 000003
【図２】
2020536240.tif 000004
【図３】
2020536240.tif 000005
【図４】
2020536240.tif 000006
【図５】
2020536240.tif 000007
【図６】
2020536240.tif 000008
【図７】
2020536240.tif 000009
【国際調査報告】
2020536240.tif 000010
2020536240.tif 000011
2020536240.tif 000012